【事件の表示】
　特願２０１１−　２２０９４「積層型セラミックスキャパシタ」拒絶査定不服審判事件〔平成２４年　６月１４日出願公開、特開２０１２−１１４３９５〕について、次のとおり審決する。
【結　論】
　本件審判の請求は、成り立たない。
【理　由】
第１　手続の経緯・本願発明  
 　本願は平成２３年２月３日（パリ条約に基づく優先権主張　平成２２年１１月２５日　大韓民国（ＫＲ））の出願であって、
　原審において平成２４年８月２日付で拒絶理由が通知され、平成２４年１１月７日付で意見書及び手続補正書が提出されたが、平成２４年１１月２２日付で再度拒絶理由が通知され、平成２５年３月５日付で意見書及び手続補正書が提出されたところ、平成２５年４月２２日付で、前記平成２４年８月２日付の拒絶理由により拒絶査定となり、
　これに対して、同年８月３０日に拒絶査定不服審判が請求され、同時に手続補正がなされたものである。
　
　本願の請求項１ないし１１に係る発明は、上記平成２５年８月３０日付手続補正書により補正された特許請求の範囲の請求項１ないし１１に記載された事項により特定されるとおりのものと認められるところ、その請求項１に係る発明（以下、「本願発明」という。）は、次のとおりのものである。
　
（本願発明）
「　複数の誘電体層が内部に積層され、予め設定された横の長さ１．６ｍｍおよび予め設定された縦の長さ０．８ｍｍを有するキャパシタ本体と、
　前記複数の誘電体層の夫々に複数個が配列される複数の内部電極を有する内部電極部と、
　前記キャパシタ本体の側面に配列され、前記複数の内部電極のうちの対応する内部電極と電気的に連結される複数の外部電極を有する外部電極部と、
　を備え、
　前記複数の内部電極の夫々は、外部電極と連結される突出部を含み、
　前記内部電極の突出部の幅は、０．１ｍｍ以上、０．２ｍｍ以下であり、前記突出部が形成された内部電極の幅方向の端から前記突出部までの距離の２倍より大きく、４倍より小さく、
　前記内部電極グループの容量は夫々１ｕＦ±１０％以上であることを特徴とする積層型セラミックスキャパシタ。」
　
　
第２　引用例
　原審において、平成２４年８月２日付の拒絶理由に引用された、特開２００３−２７２９４５号公報（以下「引用例」という。）には、「積層セラミック電子部品およびその製造方法」として、図面と共に以下の記載がある。
　
ア．「【０００２】【従来の技術】
　昨今のコンピュータや携帯電話に代表される情報通信機器の小型化に伴い、電子部品の高密度実装が進行する中で積層セラミック電子部品においては小型化が望まれている。特に、代表的な積層セラミック電子部品である積層セラミックコンデンサにおいては小型化とともに大容量化が望まれている。
【０００３】そして、実装面積低減と実装回数削減によるコスト低減の要求から単一素体内にコンデンサを複数個並設した多連形の積層セラミックコンデンサも開発され使用されてきており、多連形の積層セラミックコンデンサにおいても小型化、大容量化が要望されている。
【０００４】従来の多連形の積層セラミックコンデンサについて、図１３を参照して説明する。図１３は従来の多連形の積層セラミックコンデンサの内部電極の構造を示す模式的分解斜視図である。
【０００５】図１３に示すように、従来の多連形の積層セラミックコンデンサは、誘電体層３を挟んで第１の内部電極１と第２の内部電極２とが交互に積層され、第１の内部電極１および第２の内部電極２は同一平面に複数（図１３では４個）が形成され、この素体の相対向する端面に内部電極の複数対が交互に露出し、この露出した内部電極に接続するように複数対の外部電極（図示せず）を形成している。また、多連形の積層セラミックコンデンサは外部電極の形状を小さくする必要があるため、図１３に示すように、第１の内部電極１および第２の内部電極２は、容量形成電極部１ａ，２ａと引出し電極部１ｂ，２ｂとを設け、引出し電極部１ｂ，２ｂの幅寸法を容量形成電極部１ａ，２ａに比べ小さくし、外部電極との接続部分の寸法を小さくしている。
【０００６】一方、積層セラミックコンデンサの静電容量は、内部電極の重なり面積、内部電極に挟まれた誘電体層の有効層数、誘電体層の厚みおよび誘電体層の比誘電率によって決定される。したがって、所望の静電容量を得るためには、上記の各因子のいずれか一つまたは複数を変更して行う。」
　
イ．「【００２６】図１〜図３において、１０は積層焼結体、１１〜１４は第１の外部電極、２１〜２４は第２の外部電極、１００は誘電体層、１１０〜１４０は第１の内部電極、２１０〜２４０は第２の内部電極である。
【００２７】図３に示すように、本実施の形態１における積層セラミックコンデンサは、誘電体層と内部電極とを交互に積層した積層焼結体１０とこの積層焼結体１０の表面に設けた４対の対向する外部電極、つまり、第１の外部電極１１と第２の外部電極２１、第１の外部電極１２と第２の外部電極２２、第１の外部電極１３と第２の外部電極２３および第１の外部電極１４と第２の外部電極２４の４対を備えている。そして、図１〜図３に示すように、内部電極は、誘電体層１００を挟んで一方の層に４つ並設した第１の内部電極１１０〜１４０と他方の層に４つ並設した第２の内部電極２１０〜２４０とからなり、第１の内部電極１１０と第２の内部電極２１０、第１の内部電極１２０と第２の内部電極２２０、第１の内部電極１３０と第２の内部電極２３０および第１の内部電極１４０と第２の内部電極２４０とがそれぞれ１個のコンデンサを構成し、１個の素体である積層焼結体１０内に４個のコンデンサを内蔵した４連形の積層セラミックコンデンサである。
【００２８】そして、いずれの内部電極も、容量形成電極とこの容量形成電極と一方の外部電極とを接続する引出し電極と容量形成電極に非接続で他方の外部電極に接続するダミー電極とを１単位としてそれぞれ同一層に有した構成としている。具体的には、図１に示すように、第１の内部電極１１０は、容量形成電極１１０ａとこの容量形成電極１１０ａと第１の外部電極１１とを接続する引出し電極１１０ｂと容量形成電極１１０ａに非接続で第２の外部電極２１に接続するダミー電極１１０ｃとを有し、第２の内部電極２１０は、容量形成電極２１０ａとこの容量形成電極２１０ａと第２の外部電極２１とを接続する引出し電極２１０ｂと容量形成電極２１０ａに非接続で第１の外部電極１１に接続するダミー電極２１０ｃとを有している。また、引出し電極およびダミー電極の幅はほぼ同一でかつ容量形成電極に比して小としている。例えば、引出し電極１１０ｂおよびダミー電極１１０ｃの幅はほぼ同一でかつ容量形成電極１１０ａに比して小としている。」
　
ウ．「【００４０】作製した本実施の形態１における積層セラミックコンデンサは、長手方向寸法が３．２ｍｍ、幅方向寸法が１．６ｍｍ、厚み方向寸法が０．８５ｍｍであった。」
　
　
　上記の記載及び関連する図面ならびに積層セラミックコンデンサの分野における技術常識を考慮すると、
　引用例に記載された「積層セラミックコンデンサ」は、上記ア．【０００５】および【図１３】、上記イ．【００２６】および【図１】〜【図３】にあるように、複数の「誘電体層」（３，１００）が積層されてなり、
　例えば上記ウ．【００４０】にあるように、「長手方向寸法が３．２ｍｍ、幅方向寸法が１．６ｍｍ、厚み方向寸法が０．８５ｍｍ」の直方体状の「積層焼結体１０」（上記イ．【００２６】、【図３】）がその本体である。
　
　また、引用例に記載された「積層セラミックコンデンサ」は、【図１３】、【図１】にあるように、前記複数の誘電体層を挟んで各層に複数の第１の「内部電極」（１，１１０〜１４０）と、複数の第２の「内部電極」（２、２１０〜２４０）とが交互に積層されてなり、
　これら各層の内部電極は、誘電体層を挟んで一方の層の同一平面に４つ並設した第１の内部電極と、他方の層の同一平面に４つ並設した第２の内部電極が各々対となって４個のコンデンサを構成し、１個の本体内に独立した４個のコンデンサを内蔵した４連形の積層セラミックコンデンサを構成している。
　
　また、上記ア．【０００５】や、イ．【００２７】、【図３】にあるように、引用例に記載された「積層セラミックコンデンサ」は、
　前記積層焼結体の表面に設けられた、前記積層焼結体の相対向する端面に露出する４個の前記内部電極に接続される４対の対向する「外部電極」（１１〜１４，２１〜２４）を有しており、
　これら「外部電極」に接続する「内部電極」のそれぞれは、「容量形成電極部」（【図１３】の１ａ、２ａ、【図１】の１１０ａ、２１０ａ）と、「引出し電極部」（【図１３】の１ｂ、２ｂ、【図１】の１１０ｂ、２１０ｂ）を有しており、
　上記ア．【０００５】末尾、および【図１３】、上記イ．【００２８】末尾、および【図３】から判るように、「前記引出し電極部の幅寸法は、前記容量形成電極部に比べて小さく」なっている。
　
　したがって、引用例には以下の発明（以下、「引用発明」という。）が開示されている。
　
（引用発明）
　「複数の誘電体層が積層され、長手方向寸法が３．２ｍｍ、幅方向寸法が１．６ｍｍ、厚み方向寸法が０．８５ｍｍの積層焼結体と、
　前記複数の誘電体層を挟んで複数の第１の内部電極と複数の第２の内部電極とが交互に積層され、各層の内部電極は、誘電体層を挟んで一方の層の同一平面に４つ並設した第１の内部電極と、他方の層の同一平面に４つ並設した第２の内部電極が各々対となって４個のコンデンサを構成する内部電極と、
　前記積層焼結体の表面に設けられた、前記積層焼結体の相対向する端面に露出する４個の前記内部電極に接続される４対の対向する外部電極と、
　を備え、
　前記内部電極のそれぞれは、容量形成電極部と引出し電極部を有し、
　前記引出し電極部の幅寸法は、前記容量形成電極部に比べて小さく、
　前記積層焼結体内に４個のコンデンサが並設された
積層セラミックコンデンサ。」
　
　
第３　対比・判断
（１）対比
　本願発明と引用発明を対比する。
　まず、引用発明の「積層セラミックコンデンサ」において「コンデンサ」は「キャパシタ」であるから、本願発明の「積層型セラミックキャパシタ」である。
　また、引用発明と本願発明の「誘電体層」は共通し、
　引用発明の「複数の誘電体層が積層され」は、本願発明の「複数の誘電体層が内部に積層され」と実質的な差異は無く、
　引用発明の「長手方向寸法が３．２ｍｍ、幅方向寸法が１．６ｍｍ、厚み方向寸法が０．８５ｍｍ」は、数値が異なるものの、本願発明と「予め設定された横の長さおよび予め設定された縦の長さを有する」点で一致し、
　引用発明の「積層焼結体」は、本願発明の「キャパシタ本体」に相当する。
　
　また、引用発明と本願発明の「内部電極」は共通し、
　引用発明の「前記複数の誘電体層を挟んで複数の第１の内部電極と複数の第２の内部電極とが交互に積層され、各層の内部電極は、誘電体層を挟んで一方の層の同一平面に４つ並設した第１の内部電極と、他方の層の同一平面に４つ並設した第２の内部電極が各々対となって４個のコンデンサを構成する内部電極」は、全体として本願発明の「前記複数の誘電体層の夫々に複数個が配列される複数の内部電極を有する内部電極部」にあたる。
　
　また、引用発明と本願発明の「外部電極」は共通し、
　引用発明の「積層焼結体の表面に設けられた」における「表面」とは、引用例【図３】からも明らかなように「側面」ということができ、本願発明の「キャパシタ本体の側面に配列され」にあたり、
　引用発明の「積層焼結体の相対向する端面に露出する４個の内部電極に接続される」ことは、本願発明の「複数の内部電極のうちの対応する内部電極と電気的に連結される」ことにあたり、
　引用発明の「４対の対向する外部電極」は、本願発明の「複数の外部電極」である。
　したがって、引用発明の「前記積層焼結体の表面に設けられた、前記積層焼結体の相対向する端面に露出する４個の前記内部電極に接続される４対の対向する外部電極」は、全体として本願発明の「前記キャパシタ本体の側面に配列され、前記複数の内部電極のうちの対応する内部電極と電気的に連結される複数の外部電極を有する外部電極部」にあたる。
　
　そして、引用発明の「引出し電極部」は、「容量形成電極部」から突出して「外部電極」と接続する部位を構成しており、本願発明の「外部電極」と連結される「突出部」にあたり、
　引用発明の「内部電極のそれぞれは、容量形成電極部と引出し電極部を有し」は、本願発明の「複数の内部電極の夫々は、外部電極と連結される突出部を含み」にあたる。
　
　以上から、本願発明と引用発明は、以下の点で一致し、また相違する。　
　
（一致点）
「複数の誘電体層が内部に積層され、予め設定された横の長さおよび予め設定された縦の長さを有するキャパシタ本体と、
　複数の誘電体層の夫々に複数個が配列される複数の内部電極を有する内部電極部と、
　前記キャパシタ本体の側面に配列され、前記複数の内部電極のうちの対応する内部電極と電気的に連結される複数の外部電極を有する外部電極部と、
　を備え、
　前記複数の内部電極の夫々は、外部電極と連結される突出部を含む、
　積層型セラミックスキャパシタ。」
　
（相違点１）
　「予め設定された横の長さおよび予め設定された縦の長さを有するキャパシタ本体」に関し、
　本願発明は「予め設定された横の長さ１．６ｍｍおよび予め設定された縦の長さ０．８ｍｍを有するキャパシタ本体」であるのに対して、
　引用発明は「長手方向寸法が３．２ｍｍ、幅方向寸法が１．６ｍｍ、厚み方向寸法が０．８５ｍｍの積層焼結体」である点。
　
（相違点２）
　内部電極の「突出部」の幅に関し、
　本願発明は「前記内部電極の突出部の幅は、０．１ｍｍ以上、０．２ｍｍ以下であり、前記突出部が形成された内部電極の幅方向の端から前記突出部までの距離の２倍より大きく、４倍より小さく」するのに対して、
　引用発明は単に、「前記引出し電極部の幅寸法は、前記容量形成電極部に比べて小さく」する点。
　
（相違点３）
　本願発明は「前記内部電極グループの容量は夫々１ｕＦ±１０％以上である」のに対して、引用発明はこのように容量を特定していない点。
　
　
（２）判断 
　まず、相違点１のキャパシタ本体の寸法、サイズについて検討する。
　するとそもそも、引用例の上記ア．【０００２】冒頭にもあるように、情報通信機器のような電子機器の小型化、高密度化をささえるため、電子部品の小型化は従来より絶え間なく進められてきたところであって、近年チップ状電子部品のサイズは、実装時の平面寸法として規格化され、０．１ｍｍ単位のサイズを表す縦横各２桁の４つの数字で呼称されることは本願出願前に周知の技術常識であり、
　横の長さ３．２ｍｍおよび縦の長さ１．６ｍｍの大きさ（３２１６）のチップ状キャパシタ、横の長さ１．６ｍｍおよび縦の長さ０．８ｍｍの大きさ（１６０８）のチップ状キャパシタはいずれも周知である。
（例えば、特開２００２−１６４７００号公報【００２２】末尾、特開２００３−１５２３２５号公報【００２６】、特開２００６−１９５９６号公報【０００５】等を参照されたい。）
　したがって、引用発明の３２１６タイプの積層セラミックコンデンサを、より小型の１６０８タイプとして本願発明の相違点１の構成をなすことは、当業者が適宜になし得ることであって、相違点１は格別のことではない。
　
　
　ついで、相違点２の内部電極の「突出部」の幅について検討する。
　そもそも「引出し電極」にすぎない「突出部」の幅などの寸法は、外部電極や隣接する電極との確実な接続や分離、電気的特性などが確保される範囲内において、当業者であれば必要に応じて適宜設定可能な設計的事項の範疇であって格別のことではないが、念のため更に検討する。
　
　まず、相違点２の前段の「突出部の幅は、０．１ｍｍ以上、０．２ｍｍ以下」とする点について検討する。
　すると、引用発明の積層セラミックコンデンサは長手方向に４個のコンデンサを構成するものであるから、内部電極の容量形成電極部は電気的分離のための隙間をもって、長手方向寸法に略等間隔に４個並設されていることが引用例の【図１】、【図１３】から明らかである。
　上記相違点１の判断で述べたように、引用発明の３２１６タイプの積層セラミックコンデンサを、より小型の１６０８タイプとした場合、内部電極の容量形成電極部の幅は、１．６ｍｍの長さの略等間隔に４つに分けた０．４ｍｍより小さくなることは自明なことである。
　引用発明の引出し電極部の幅寸法は、容量形成電極部に比べて小さいものであって、引用例の【図１】、【図１３】を見れば、およそ容量形成電極部の幅の１／３程度であるから、１６０８タイプとした引用発明の引出し電極部（本願発明の「突出部」に相当）の幅寸法は、およそ０．４／３≒０．１３ｍｍを越えない程度であり、電極間の隙間を考慮しても、本願発明の「０．１ｍｍ以上、０．２ｍｍ以下」の範囲内となり得るものである。
　したがって、相違点２前段において「前記内部電極の突出部の幅は、０．１ｍｍ以上、０．２ｍｍ以下であり、」とした点は、当業者が適宜になし得ることであって、格別のことではない。
　
　また、相違点２後段において「前記内部電極の突出部の幅は、・・・前記突出部が形成された内部電極の幅方向の端から前記突出部までの距離の２倍より大きく、４倍より小さく」する点について検討すると、
　本願明細書【００３３】、【図５】によれば「内部電極の突出部Ａの幅ｄ」、「突出部Ａが形成された内部電極の一側面から突出部Ａまでの距離ｅ」とあるから、この標記によれば上記相違点２後段の条件は、
　　　２ｅ　＜　ｄ　＜　４ｅ　　　　　　　・・・（式１ａ）
なる不等式で表される。
　ここで、内部電極本体（引用発明の「容量形成電極部」相当）の幅を本願明細書【図５】にならって「ａ」とすれば、上記不等式の下限と上限において、
　　　ａ＝４ｅ、　ａ＝６ｅ　　　　　　　・・・（式１ｂ）
が成り立ち、上記不等式を辺々ａで除せば、
　　　１／２　＜　ｄ／ａ　＜　２／３　　・・・（式１ｃ）
を得る。
　これは前段で述べた本願発明の「０．１ｍｍ以上、０．２ｍｍ以下」の突出部の幅の範囲が（電極間の隙間を無視してａ＝０．４ｍｍとすれば）概略、
　　　１／４　≦　ｄ／ａ　≦　１／２　　　・・・（式２ａ）
に相当することを考慮すると、範囲の異なる別の条件であるから、相違点２を構成する前段、後段の２つの条件は択一的な要件であって、前述のように１６０８タイプとした引用発明が０．４／３≒０．１３ｍｍを越えない程度であり、本願発明にかかる相違点２前段の「０．１ｍｍ以上、０．２ｍｍ以下」の条件を充足する以上、実質的な相違点はない。
　
　更に言うならば、本願発明の「０．１ｍｍ以上、０．２ｍｍ以下」の突出部の幅の範囲は、電極間の隙間をも考慮するならば、例えばａ＝０．３ｍｍとして、
　　　１／３　≦　ｄ／ａ　≦　２／３　　　・・・（式２ｂ）
に相当することとなり、この場合相違点２前段の要件と後段の要件は実質重複するものとなるから、格別のことではない。
　
　なお、最初に述べたように「引出し電極」である「突出部」の幅は、当業者であれば必要に応じて適宜設定可能な設計的事項であるから、例えば外部電極との充分な接続の確保などのため、引用発明の「前記引出し電極部の幅寸法は、前記容量形成電極部に比べて小さく」する範囲内において、より広い幅とするのも適宜のことであって、この観点からも相違点２後段の要件は格別のことではない。
　
　
　したがって、全体としても相違点２は格別のことではない。
　
　
　最後に相違点３の、「前記内部電極グループの容量は夫々１ｕＦ±１０％以上である」点について検討する。
　引用例の上記ア．【０００６】に「積層セラミックコンデンサの静電容量は、内部電極の重なり面積、内部電極に挟まれた誘電体層の有効層数、誘電体層の厚みおよび誘電体層の比誘電率によって決定される。」とあるように、「積層セラミックコンデンサの静電容量」は当業者が必要に応じ設定すべき設計的事項であって、多連形の積層セラミックコンデンサの各コンデンサを構成する「内部電極グループ」の容量についても同様である。
　
　更に言うならば、例えば特開２００５−３０７２２９号公報【００３９】には、「ＪＩＳ規格がＣ１６０８ＪＢ１Ａ１０５Ｋのコンデンサ、すなわち１．６ｍｍ×０．８ｍｍ×０．８ｍｍのサイズで１０μＦの容量を得るコンデンサを試作した。」とあり、
　また、「世界最小! 積層セラミックコンデンサ 1608サイズ 10μF 25V定格品の開発」（平成２２年２月１８日、（株）村田製作所発表、URL　http://www.murata.co.jp/new/news_release/2010/0218/）とあるように、１６０８サイズの積層セラミックコンデンサにおいて、１０μＦの容量を有するものは周知である。
　引用発明は、４個の並設されたコンデンサからなる４連形の積層セラミックコンデンサであり、上記周知技術を適用して１個のコンデンサ（内部電極グループ）が１／４の容量を分担するとすれば、１０μＦ／４＝２．５μＦであるから、「内部電極グループの容量は夫々１ｕＦ以上」とするのは容易なことに過ぎない。
　また、本願明細書を参照しても、この点に特段の技術的意義を見い出せず、格別の臨界的意義を有するものとも認められない。
　したがって、相違点３も格別のことではない。
　
　結局、上記各相違点は、いずれも格別なものではなく、また、上記各相違点を総合的に検討しても、奏される効果は当業者が当然に予測できる範囲内のものと認められる。
　
　
第４　むすび
　以上のとおり、本願発明は、引用発明及び周知技術に基づいて当業者が容易に発明をすることができたものであり、特許法第２９条第２項の規定により、特許を受けることができない。本願は、他の請求項について検討するまでもなく、拒絶すべきものである。
　よって、結論のとおり審決する。